(57)【要約】      （修正有） 【課題】個装コンドーム用収納ケースをさらに薄くし、個装中のコンドームを傷付けにくくし、かつ、個装されたコンドームを個装コンドーム用収納ケースから出し入れしやすい収納ケースを提供する。【解決手段】平板状の第１被覆部２と、平板状の第２被覆部３と、を備え、少なくとも第１被覆部又は第２被覆部の一方は、少なくとも１つの指掛け部２ａの切込みを有し、第１被覆部と第２被覆部は、指掛け部を除き、個装コンドーム４を覆って挟み込む大きさを有し、個装コンドームを挿入する辺を除き、かつ、指掛け部の部分を除き、第１被覆部と第２被覆部の辺が圧着、接着等により封止されている、又は、折り曲げにより封止されている。【選択図】図１
0003216479.tif 000002
【実用新案登録請求の範囲】
【請求項１】
平板状の第１被覆部と、
平板状の第２被覆部と、
を備え、
少なくとも前記第１被覆部又は前記第２被覆部の一方は、少なくとも１つの指掛け部の切込みを有し、
前記第１被覆部と前記第２被覆部は、前記指掛け部を除き、個装コンドームを覆って挟み込む大きさを有し、
前記個装コンドームを挿入する辺を除き、かつ、前記指掛け部の部分を除き、前記第１被覆部と前記第２被覆部の辺が圧着、接着等により封止されている、又は、折り曲げにより封止されている、個装コンドーム用収納ケース。
【請求項２】
接着部の縦幅を除く前記第１被覆部及び前記第２被覆部の、個装コンドーム挿入引出方向の長さは、前記第１被覆部及び前記第２被覆部により覆って挟み込む個装コンドームの長さより２ｍｍ〜５ｍｍ大きく、接着部の縦幅を除く前記第１被覆部及び前記第２被覆部の、個装コンドーム挿入引出方向に垂直方向の長さは、前記第１被覆部及び前記第２被覆部により覆って挟み込む個装コンドームの長さより２ｍｍ〜１０ｍｍ大きい、請求項１に記載の個装コンドーム用収納ケース。
【請求項３】
前記指掛け部の切込みは、略半円状である、請求項１又は２に記載の個装コンドーム用収納ケース。
【請求項４】
前記指掛け部の切込みは、略四半楕円状である、請求項１又は２に記載の個装コンドーム用収納ケース。
【請求項５】
前記第１被覆部及び前記第２被覆部は、合成樹脂素材である、請求項１〜４いずれか一項に記載の個装コンドーム用収納ケース。
【請求項６】
少なくとも前記第１被覆部の片面又は前記第２被覆部の片面のどちらかは、彩色されている、請求項１〜５いずれか一項に記載の個装コンドーム用収納ケース。
【考案の詳細な説明】
【技術分野】
【０００１】
本考案は、個装コンドームを携帯するときに使用する収納ケースに関する。特に財布やパスケース等に入れて持ち歩く際にかさばらない薄さであり、かつ、個々に包装されたコンドームを出し入れしやすい形状を有する個装コンドーム用収納ケースに関する。
【背景技術】
【０００２】
コンドームには、購入時のパッケージから個装された形で取り出し、持ち歩いた後に使用するニーズが一定量存在する。このとき、使用者は財布やパスケース等に個装されたコンドームを直に入れるか、従来の収納ケースに入れることが多い。
しかしながら、個装されたコンドームを財布等に直接入れると、財布内部やカード、コイン等の凹凸により個装中のコンドームを傷付ける恐れがある。また、従来の収納ケースは分厚くかさばり、携帯に不便で目立つという課題があった。
【０００３】
たとえば、特許文献１では、コンドーム包装体が着脱自在に係止される係止手段を有する平板状の保持部と、該保持部に隣接してそれと重なり合うように折り曲げ自在に形成される平板状の被覆部とを備え、保持部には係止手段を複数、それぞれに係止したコンドーム包装体の一部が重なり合うように配置し、被覆部には係止手段に係止したコンドーム包装体と対向してその内部に収納されるコンドームが入り込む収容凹部を形成した、コンドーム用収納ケースについて開示している。本コンドーム用収納ケースは、コンドーム及びコンドーム包装体の位置ズレや落下を防止することができ、また、従来の収納ケースに比べ、ケース全体が薄くなって、携帯性に優れるものであった。
しかしながら、係止手段が複数配置された保持部や、折り曲げ自在に形成された被覆部等が重なり合う構成を有するため、ケース全体をさらに薄くする余地がある上、近年、使用者の持ち物のコンパクト化が進むにつれ、コンドーム用の収納ケースにおいてもケース全体をさらに薄くし、携帯性をさらに向上させることが求められるようになった。
【先行技術文献】
【特許文献】
【０００４】
【特許文献１】特願２０１２−１８８１３２公報
【考案の概要】
【考案が解決しようとする課題】
【０００５】
本考案は、上記事情を鑑みてなされたものであり、個装コンドーム用収納ケースをさらに薄くし、個装中のコンドームを傷付けにくくし、かつ、個装されたコンドームを個装コンドーム用収納ケースから出し入れしやすい収納ケースを提供することを課題とする。
【課題を解決するための手段】
【０００６】
上記課題を解決するために、本考案の個装コンドーム用収納ケースは、平板状の第１被覆部と、平板状の第２被覆部と、を備え、少なくとも前記第１被覆部又は前記第２被覆部の一方は、少なくとも１つの指掛け部の切込みを有し、前記第１被覆部と前記第２被覆部は、前記指掛け部を除き、個装コンドームを覆って挟み込む大きさを有し、前記個装コンドームを挿入する辺を除き、かつ、前記指掛け部の部分を除き、前記第１被覆部と前記第２被覆部の辺が圧着、接着等により封止されている、又は、折り曲げにより封止されていることを特徴とする。
【０００７】
また、本考案の個装コンドーム用収納ケースの一例としては、前記第１被覆部及び前記第２被覆部は合成樹脂素材であり、かつ、彩色されていることを特徴とする。
【考案の効果】
【０００８】
本考案によれば、被覆部２枚のシンプルな構成であるため、従来の収納ケースより全体が薄くかさばらない、個装コンドーム用収納ケースを提供できる。また、本考案の個装コンドーム用収納ケースは指掛け部を除き被覆部で個装コンドームを覆うため、個装中のコンドームを傷付けにくい。さらに、本考案の個装コンドーム用収納ケースは、指掛け部を有するため、個装コンドームを個装コンドーム用収納ケースから出し入れしやすい。
また、第１被覆部及び第２被覆部のどちらか一方、あるいは、両方が彩色された場合、彩色により光の透過性が低くなって挟まれた個装コンドームやその中のコンドームが見えにくくなり、個装コンドーム用収納ケースであることが目立ちにくく、さらに携帯性に優れる個装コンドーム用収納ケースを提供することができる。
【図面の簡単な説明】
【０００９】
【図１】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の一例を示す。
【図２】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図３】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図４】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図５】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図６】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図７】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図８】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図９】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【図１０】本考案の個装コンドーム用収納ケースの、（ａ）第１被覆部から見た平面図、（ｂ）第２被覆部から見た平面図、（ｃ）収納ケースに個装コンドームを収納した場合の、第１被覆部から見た平面図の他の一例を示す。
【考案を実施するための形態】
【００１０】
本考案の個装コンドーム用収納ケースは、第１被覆部と第２被覆部を備えるものである。
【００１１】
第１被覆部及び第２被覆部は、平板状である。後述するように、個装コンドームを覆って挟み込める平板状のものであれば、素材等は適宜選択される。素材の例として、個装中のコンドームを傷付けにくい、合成樹脂素材、たとえば、ポリ塩化ビニル、ポリエチレン、α−オレフィン系エラストマー、ポリプロピレン、エチレン−アルキル（メタ）アクリレート共重合体、エチレン−酢酸ビニル共重合体、エチレン−ビニルアルコール共重合体、エチレン−（メタ）アクリル酸共重合体、ポリエチレンテレフタレート等が挙げられる。ホモポリプロピレン、ポリエチレンテレフタレートは硬度があり、内容物をより保護できるため好ましい。さらに、ホモポリプロピレンがヒートシールで接着可能なため、好適に使用される。多層でもよく、難接着素材の内面側に易接着素材を塗工したシート、柔軟素材の両面に耐摩耗性素材を共押出したシート等も使用可能である。また、これら合成樹脂を混合した混合樹脂、積層した積層フィルムでもよい。さらに、これら合成樹脂、混合樹脂、積層樹脂に、酸化防止剤、紫外線吸収剤、帯電防止剤、滑剤等の添加剤を配合してもよい。特に、個装中のコンドームの劣化を防止するため、紫外線吸収剤を添加することが望ましい。
【００１２】
少なくとも第１被覆部又は第２被覆部の一方は、少なくとも１つの指掛け部となる切込みを有する。指掛け部は、個装コンドーム用収納ケースから個装コンドームを出し入れする際に指を掛け、指との摩擦で個装コンドームを引っ張り出す、あるいは、個装コンドームを個装コンドームの挿入引出方向に指で押し出すために設けられる。
指掛け部は第１被覆部及び第２被覆部の両方に設けられてもよいし、第１被覆部に２か所以上、あるいは、第２被覆部に２か所以上設けられてもよい。
指掛け部の切込み形状は、個装コンドームを挿入又は引き出す際に、個装コンドームに指が掛けられる形状であればよく、三角や四角等の多角形、半円状、四半円状、半楕円状、四半楕円状、扇状、放物線状、波線等が挙げられ、また、指掛け部の切込み曲線が被覆部に対し凸状となっているもの、凹状となっているもの等が挙げられる。指が掛けやすく、角部分が少なく亀裂が入りにくい、略半円状、略四半円状、略半楕円状、略四半楕円状であって、指掛け部の切込み曲線が被覆部に対し凸状になっているものや、指掛け部に挿入される個装コンドーム中のコンドームが重なりにくい、略四半円状、略四半楕円状であって、指掛け部の切込み線が被覆部に対して凹状になっているものがより望ましい。
また、個装コンドームが覆われていない面積を小さくして個装中のコンドームを傷付けにくくするため、指掛け部の大きさは、指が掛けられる程度に留め、あまり大きくしないことが望ましい。また、個装コンドームを挿入しやすくするため等、第１被覆部及び第２被覆部に設ける指掛け部の形状や大きさは異なってもよい。具体的には、指掛け部が略半円状の場合、その半径又は切込みの深さは５ｍｍ〜２０ｍｍの範囲にあることが望ましく、中心角が約９０度の略扇状すなわち略四半円状の場合、その半径又は切込みの深さは１０ｍｍ〜２５ｍｍの範囲にあることが望ましい。なお、本考案において、「指掛け部の切込みの深さ」とは、指掛け部の切込みのいちばん深い部分の長さをいい、指掛け部が半円状の場合は半径、四半円状の場合は半径となる。
【００１３】
第１被覆部及び第２被覆部の形状は、指掛け部を除き、収納ケースをコンパクトにする観点から、略同じであることが望ましい。個装コンドームの挿入引出をスムーズに行うために、第１被覆部（２）の第２辺（Ｌ２）及び第４辺（Ｌ４）の長さを、第２被覆部（３）の第２辺（Ｌ２）及び第４辺（Ｌ４）の長さより１ｍｍ〜２ｍｍ程度差をつけ、挿入部となる第１辺（Ｌ１）において第１被覆部（２）と第２被覆部（３）をめくりやすくしてもよい。
また、第１被覆部及び第２被覆部の大きさは、収納ケース全体の大きさをなるべく小さくして収納ケースの携帯性を高めるため、指掛け部を除き個装コンドームを覆って挟み込め、かつ、個装コンドームの個装コンドーム用収納ケースへの出し入れがスムーズにいく程度の大きさに抑えることが望ましい。具体的には、四角形の個装コンドームを収納する本考案の第１被覆部及び第２被覆部は、指掛け部を除き、個装コンドームより少し大きめの略四角形である。接着部の縦幅を除く（ただし、接着部が存在する場合に限る）第１被覆部及び第２被覆部の、個装コンドーム挿入引出方向の長さ（Ｌ２及びＬ４の長さ）は、第１被覆部及び第２被覆部により覆って挟み込む個装コンドームの対応する長さより２ｍｍ〜５ｍｍ大きく、接着部の縦幅を除く第１被覆部及び第２被覆部の、個装コンドーム挿入引出方向に垂直方向の長さ（Ｌ１及びＬ３の長さ）は、第１被覆部及び第２被覆部により覆って挟み込む個装コンドームの対応する長さより２ｍｍ〜１０ｍｍ大きいことが望ましい。なお、第１被覆部及び第２被覆部を封止する接着部の縦幅（Ｓ）は１．５ｍｍ〜５ｍｍ、好ましくは２．５ｍｍ〜３．５ｍｍ程度が例示され、本考案における接着とは、接着剤による接着の他、圧着、ヒートシールや高周波ウェルダー、超音波等による溶着等も含まれる。
さらに、第１被覆部及び第２被覆部の厚さは各０．１ｍｍ〜０．４ｍｍの範囲にあることが望ましい。０．４ｍｍより厚いと、収納ケース全体が厚くなってかさばり、携帯性に劣り、０．１ｍｍより薄いと個装コンドームや個装中のコンドームの保護が十分でなくなる。
【００１４】
収納された個装コンドームが、個装コンドーム用収納ケースから位置ずれが起きにくいようにするため、収納ケースは、個装コンドームを挿入する辺を除き、かつ、指掛け部の部分を除き、第１被覆部と第２被覆部の辺が圧着、接着等により封止されている、又は、折り曲げにより封止されていることが望ましい。なお、指掛け部の形状や切込みの深さによっては、個装コンドームを挿入する辺、及び、他の１辺を除き、かつ、指掛け部の部分を除き、第１被覆部と第２被覆部の辺が圧着、接着等により封止されている、又は、折り曲げにより封止されていてもよい。
【００１５】
さらに、第１被覆部と第２被覆部の略四角形の四隅は面取り加工されていることが望ましい。個装コンドームを挿入収納する際、持ち歩きの際、あるいは、引き出す際に、収納ケースの角により個装コンドームや使用者の手指を傷付けにくくするためである。
【００１６】
さらに、少なくとも第１被覆部の片面又は第２被覆部の片面のどちらかは、彩色されていることが望ましい。彩色は、光の透過性を低くすることにより個装コンドーム用収納ケースに挟み込まれた個装コンドームを見えにくくし、目立たず携帯することが可能となる。個装コンドーム自体のデザインによっては、第１被覆部、第２被覆部のうちの１面を彩色すればよいが、収納ケースの汎用性を高めるために、第１被覆部の片面及び第２被覆部の片面の計２面を彩色することがより望ましい。彩色は、第１被覆部及び第２被覆部の外側面に行ってもよいし、インキの擦れ等を考慮して内側面に行ってもよい。耐ヒンジ性ホモポリプロピレンを素材とし、開口部の隣の辺を折り返し形状とすれば、口開き性が良好となる。
【実施例】
【００１７】
（実施例１）
図１に実施例１を示す。
図１（ａ）は、本考案の個装コンドーム用収納ケースの一例を、第１被覆部から見た平面図である。第１被覆部（２）と第２被覆部（３）が重ね合わせられ、第１被覆部（２）の第１辺（Ｌ１）中央付近に半円状の指掛け部（２ａ）の切込みが第１被覆部（２）に対し凸状に設けられている。
接着部（Ｓ）を除く第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図１（ｂ）は、（ａ）を第２被覆部から見た（裏から見た）平面図である。
図１（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）に指を掛けて引き出す。挿入及び引出は、挿入引出方向（ｄ）で行われる。
実施例１では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の半径（Ｒ２ａ）は１０ｍｍであり、被覆部の四隅は面取り加工されている。
【００１８】
図示しないが、第１被覆部（２）及び第２被覆部（３）の素材は透明であるため、内面側にコロナ処理を行い、個装コンドームを隠すように彩色を施すことも可能である。
【００１９】
（実施例２）
図２に実施例２を示す。
図２（ａ）は、本考案の個装コンドーム用収納ケースの一例を、第１被覆部から見た平面図である。第１被覆部（２）と第２被覆部（３）が重ね合わせられ、第１被覆部（２）の第１辺（Ｌ１）中央付近に半円状の指掛け部（２ａ）の切込みが第１被覆部（２）に対し凸状に、第２被覆部（３）の第１辺（Ｌ１）中央付近に半円状の指掛け部（３ａ）の切込みが第２被覆部（３）に対し凸状に設けられている。第２被覆部（３）の指掛け部（３ａ）のほうが、第１被覆部（２）の指掛け部（２ａ）よりやや小さい。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図２（ｂ）は、（ａ）を第２被覆部から見た（裏から見た）平面図である。
図２（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）及び第２被覆部（３）の指掛け部（３ａ）に指を掛けて引き出す。挿入及び引出は、挿入引出方向（ｄ）で行われる。
実施例２では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の半径（Ｒ２ａ）は１３ｍｍであり、第２被覆部（３）の指掛け部（３ａ）の半径（Ｒ３ａ）は１０ｍｍであり、被覆部の四隅は面取り加工されている。
【００２０】
図示しないが、第１被覆部（２）及び第２被覆部（３）の素材は透明であるため、内面側にコロナ処理を行い、個装コンドームを隠すように彩色を施すことも可能である。
【００２１】
（実施例３）
図３に実施例３を示す。
図３（ａ）は、本考案の個装コンドーム用収納ケースの一例を、第１被覆部から見た平面図であり、図３（ｂ）は、（ａ）を第２被覆部から見た（裏から見た）平面図である。
第１被覆部（２）と第２被覆部（３）が重ね合わせられ、第１被覆部（２）の第１辺（Ｌ１）の中央付近及び第３辺（Ｌ３）の中央付近に略半円状の指掛け部（２ａ、２ｂ）の切込み、第２被覆部（３）の第１辺（Ｌ１）の中央付近及び第３辺（Ｌ３）の中央付近に略半円状の指掛け部（３ａ、３ｂ）の切込みが各被覆部に対し凸状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図３（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）及び第２被覆部（３）の指掛け部（３ａ）に指を掛けて引き出す、あるいは、第１被覆部（２）の指掛け部（２ｂ）及び第２被覆部（３）の指掛け部（３ｂ）に露出した個装コンドーム（４）を指で押して引き出す。挿入及び引出は、挿入引出方向（ｄ）で行われる。
実施例３では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の半径（Ｒ２ａ）及び第２被覆部（３）の指掛け部（３ａ）の半径（Ｒ３ａ）は１０ｍｍであり、第１被覆部（２）の指掛け部（２ｂ）の切込みの深さ（Ｒ２ｂ）及び第２被覆部（３）の指掛け部（３ｂ）の切込みの深さ（Ｒ３ｂ）は７ｍｍであり、被覆部の四隅は面取り加工されている。
【００２２】
図示しないが、第１被覆部（２）及び第２被覆部（３）の素材は透明であるため、内面側にコロナ処理を行い、個装コンドームを隠すように彩色を施すことも可能である。
【００２３】
（実施例４）
図４に実施例４を示す。
図４（ａ）は、本考案の個装コンドーム用収納ケースの一例を、第１被覆部から見た平面図であり、図４（ｂ）は、（ａ）を第２被覆部から見た（裏から見た）平面図である。
第１被覆部（２）と第２被覆部（３）が重ね合わせられ、第１被覆部（２）に略四半円状の指掛け部（２ａ）の切込みが第１辺（Ｌ１）と第４辺（Ｌ４）の交点近辺に第１被覆部（２）に対し凸状に設けられ、第２被覆部（３）に略四半円状の指掛け部（３ａ）の切込みが第１被覆部（２）の指掛け部（２ａ）と同じ位置に第２被覆部（３）に対し凸状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図４（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）及び第２被覆部（３）の指掛け部（３ａ）に指を掛けて引き出す。本実施例では、指掛け部にコンドーム（５）が重ならず、より傷付きにくい構成となっている。挿入及び引出は、挿入引出方向（ｄ）で行われる。
実施例４では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の半径（Ｒ２ａ）及び第２被覆部（３）の指掛け部（３ａ）の半径（Ｒ３ａ）は１５ｍｍであり、被覆部の四隅は面取り加工されている。
【００２４】
図示しないが、第１被覆部（２）及び第２被覆部（３）の素材は透明であるため、内面側にコロナ処理を行い、個装コンドームを隠すように彩色を施すことも可能である。
【００２５】
（実施例５）
図５に実施例５を示す。
図５（ａ）は、本考案の個装コンドーム用収納ケースの一例を、第１被覆部から見た平面図であり、図５（ｂ）は、（ａ）を第２被覆部から見た（裏から見た）平面図である。
第１被覆部（２）と第２被覆部（３）が重ね合わせられ、第１被覆部（２）に略四半円状の指掛け部（２ａ）の切込みが第１辺（Ｌ１）と第４辺（Ｌ４）の交点近辺に第１被覆部（２）に対し凸状に設けられ、第２被覆部（３）に略四半円状の指掛け部（３ａ）の切込みが第１辺（Ｌ１）と第２辺（Ｌ２）の交点近辺に第２被覆部（３）に対し凸状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図５（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）に指を掛けて引き出す、あるいは、第２被覆部（３）の指掛け部（３ａ）に指を掛けて引き出す。本実施例では、指掛け部にコンドーム（５）が重ならず、より傷付きにくい構成となっている。また、指掛け部が表裏２箇所の異なる交点近辺に設けられているため、個装コンドーム用収納ケースの向きや利き手に関係なく個装コンドームを取り出しやすい。挿入及び引出は、挿入引出方向（ｄ）で行われる。
実施例５では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の半径（Ｒ２ａ）及び第２被覆部（３）の指掛け部（３ａ）の半径（Ｒ３ａ）は１５ｍｍであり、被覆部の四隅は面取り加工されている。
【００２６】
図示しないが、第１被覆部（２）及び第２被覆部（３）の素材は透明であるため、内面側にコロナ処理を行い、個装コンドームを隠すように彩色を施すことも可能である。
【００２７】
（実施例６）
図６に実施例６を示す。
図６（ａ）は、本考案の個装コンドーム用収納ケースの一例を、第１被覆部から見た平面図であり、図６（ｂ）は、（ａ）を第２被覆部から見た（裏から見た）平面図である。
第１被覆部（２）と第２被覆部（３）が重ね合わせられ、第１被覆部（２）に略四半楕円状の指掛け部（２ａ）の切込みが第１辺（Ｌ１）と第４辺（Ｌ４）の交点から第１辺（Ｌ１）の約３／５〜９／１０の範囲に第１被覆部（２）に対し凸状に設けられ、第２被覆部（３）に略四半楕円状の指掛け部（３ａ）の切込みが第１辺（Ｌ１）と第２辺（Ｌ２）の交点から第１辺（Ｌ１）の約３／５〜９／１０の範囲に第２被覆部（３）に対し凸状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図６（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）、又は、第２被覆部（３）の指掛け部（３ａ）、もしくは、第１被覆部（２）の指掛け部（２ａ）と第２被覆部（３）の指掛け部（３ａ）の重なり合う部分に指を掛けて引き出す。本実施例では、指掛け部が表裏２箇所の異なる交点近辺に設けられているため、個装コンドーム用収納ケースの向きや利き手に関係なく個装コンドームを取り出しやすい。挿入及び引出は、挿入引出方向（ｄ）で行われる。
実施例６では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の切込みの深さ（Ｒ２ａ）及び第２被覆部（３）の指掛け部（３ａ）の切込みの深さ（Ｒ３ａ）は１０ｍｍであり、被覆部の四隅は面取り加工されている。
【００２８】
図示しないが、第１被覆部（２）及び第２被覆部（３）の素材は透明であるため、内面側にコロナ処理を行い、個装コンドームを隠すように彩色を施すことも可能である。
【００２９】
（実施例７）
図７に実施例７を示す。
図７（ａ）は、本考案の個装コンドーム用収納ケースの一例を、第１被覆部から見た平面図であり、図７（ｂ）は、（ａ）を第２被覆部から見た（裏から見た）平面図である。
第１被覆部（２）と第２被覆部（３）が重ね合わせられ、第１被覆部（２）に略四半楕円状の指掛け部（２ａ）の切込みが第１辺（Ｌ１）と第４辺（Ｌ４）の交点から第１辺（Ｌ１）の約２／５の範囲に第１被覆部（２）に対し凸状に設けられ、第２被覆部（３）に略四半楕円状の指掛け部（３ａ）の切込みが第１辺（Ｌ１）と第２辺（Ｌ２）の交点から第１辺（Ｌ１）の約２／５の範囲に第２被覆部（３）に対し凸状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図７（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）、又は、第２被覆部（３）の指掛け部（３ａ）に指を掛けて引き出す。本実施例では、指掛け部が表裏２箇所の異なる交点近辺に設けられているため、個装コンドーム用収納ケースの向きや利き手に関係なく個装コンドームを取り出しやすい。挿入及び引出は、挿入引出方向（ｄ）で行われる。
実施例７では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の切込みの深さ（Ｒ２ａ）及び第２被覆部（３）の指掛け部（３ａ）の切込みの深さ（Ｒ３ａ）は１０ｍｍであり、被覆部の四隅は面取り加工されている。
【００３０】
図示しないが、第１被覆部（２）及び第２被覆部（３）の素材は透明であるため、内面側にコロナ処理を行い、個装コンドームを隠すように彩色を施すことも可能である。
【００３１】
（実施例８）
図８に実施例８を示す。
図８（ａ）は、本考案の個装コンドーム用収納ケースの一例を、第１被覆部から見た平面図であり、図８（ｂ）は、（ａ）を第２被覆部から見た（裏から見た）平面図である。
第１被覆部（２）と第２被覆部（３）が重ね合わせられ、第１被覆部（２）に略四半楕円状の指掛け部（２ａ）の切込みが第１辺（Ｌ１）の約１／２の位置から第１辺（Ｌ１）と第２辺（Ｌ２）の交点の範囲に第１被覆部（２）に対し凹状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図８（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）に指を掛けて引き出す。本実施例では、指掛け部にコンドーム（５）が重ならず、より傷付きにくい構成となっている。挿入及び引出は、挿入引出方向（ｄ）で行われる。
実施例８では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の切込みの深さ（Ｒ２ａ）は２０ｍｍであり、被覆部の四隅は面取り加工されている。
【００３２】
図示しないが、第１被覆部（２）及び第２被覆部（３）の素材は透明であるため、内面側にコロナ処理を行い、個装コンドームを隠すように彩色を施すことも可能である。
【００３３】
（実施例９）
図９に実施例９を示す。
図９（ａ）は、本考案の個装コンドーム用収納ケースの一例を、第１被覆部から見た平面図であり、図９（ｂ）は、（ａ）を第２被覆部から見た（裏から見た）平面図である。
第１被覆部（２）と第２被覆部（３）が重ね合わせられ、第１被覆部（２）に略四半円状の指掛け部（２ａ）の切込みが第１辺（Ｌ１）の約１／２の位置から第１辺（Ｌ１）と第２辺（Ｌ２）の交点の範囲に第１被覆部（２）に対し凹状に設けられ、略四半円状の指掛け部（２ｂ）の切込みが第３辺（Ｌ３）と第４辺（Ｌ４）の交点近辺に第１被覆部（２）に対し凹状に設けられ、第２被覆部（３）に略四半円状の指掛け部（３ｂ）の切込みが第１被覆部（２）の指掛け部（２ｂ）と同じ位置に第２被覆部（３）に対し凹状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図９（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ）に指を掛けて引き出す。又は、第１被覆部（２）の指掛け部（２ｂ）及び第２被覆部（３）の指掛け部（３ｂ）に露出した個装コンドーム（４）を指で押して引き出す。本実施例では、指掛け部にコンドーム（５）が重ならず、より傷付きにくい構成となっている。挿入及び引出は、挿入引出方向（ｄ）で行われる。
実施例９では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ）の切込みの深さ（Ｒ２ａ）は２０ｍｍであり、第１被覆部（２）の指掛け部（２ｂ）の切込みの深さ（Ｒ２ａ）及び第２被覆部（３）の指掛け部（３ｂ）の切込みの深さ（Ｒ３ｂ）は１５ｍｍである。被覆部の四隅は面取り加工されている。
【００３４】
図示しないが、第１被覆部（２）及び第２被覆部（３）の素材は透明であるため、内面側にコロナ処理を行い、個装コンドームを隠すように彩色を施すことも可能である。
【００３５】
（実施例１０）
図１０に実施例１０を示す。
図１０（ａ）は、本考案の個装コンドーム用収納ケースの一例を、第１被覆部から見た平面図であり、図１０（ｂ）は、（ａ）を第２被覆部から見た（裏から見た）平面図である。
第１被覆部（２）と第２被覆部（３）が重ね合わせられ、第１被覆部（２）に略四半楕円状の指掛け部（２ａ１）の切込みが第１辺（Ｌ１）の約１／２の位置から第１辺（Ｌ１）と第４辺（Ｌ４）の交点の範囲に第１被覆部（２）に対し凹状に設けられ、第１被覆部（２）に略四半楕円状の指掛け部（２ａ２）の切込みが第１辺（Ｌ１）の約１／２の位置から第１辺（Ｌ１）と第２辺（Ｌ２）の交点の範囲に第１被覆部（２）に対し凹状に設けられている。
第１被覆部及び第２被覆部の第１辺（Ｌ１）は、個装コンドーム挿入部として使用するため封止されておらず、第１辺（Ｌ１）より個装コンドームが挿入引出される。第２辺（Ｌ２）及び第４辺（Ｌ４）は、ヒートシールにより封止され、接着部（圧着部分）の縦幅（Ｓ）は、３ｍｍである。さらに第３辺（Ｌ３）は折り曲げにより封止されている。
第１被覆部及び第２被覆部の素材は、厚さ０．２ｍｍのホモポリプロピレンからなる。
図１０（ｃ）は、（ａ）に個装コンドーム（４）を挿入した場合の平面図である。個装コンドーム内のコンドーム（５）も示した。個装コンドーム（４）は、第１辺（Ｌ１）から第１被覆部（２）及び第２被覆部（３）の隙間に挟み込むように挿入され、取り出す際には第１被覆部（２）の指掛け部（２ａ１）又は指掛け部（２ａ２）に指を掛けて引き出す。本実施例では、指掛け部にコンドーム（５）が重ならず、より傷付きにくい構成となっている。挿入及び引出は、挿入引出方向（ｄ）で行われる。
実施例１０では、個装コンドーム（４）の大きさは短辺（Ｌ２及びＬ４に対応する辺）が５３ｍｍ、長辺（Ｌ１及びＬ３に対応する辺）が５８ｍｍであり、第１被覆部及び第２被覆部の第２辺（Ｌ２）及び第４辺（Ｌ４）は５６ｍｍ、第１辺（Ｌ１）及び第３辺（Ｌ３）は６３ｍｍ、接着部の縦幅（Ｓ）は各３ｍｍ、第１被覆部（２）の指掛け部（２ａ１）の切込みの深さ（Ｒ２ａ１）及び指掛け部（２ａ２）の切込みの深さ（Ｒ２ａ２）は２０ｍｍであり、被覆部の四隅は面取り加工されている。
【００３６】
図示しないが、第１被覆部（２）及び第２被覆部（３）の素材は透明であるため、内面側にコロナ処理を行い、個装コンドームを隠すように彩色を施すことも可能である。
【００３７】
なお、コンドーム（５）の膜厚等により、個装コンドーム（４）の厚みは異なる。特にコンドーム（５）のリングが厚くなる場合は、第１被覆部（２）及び第２被覆部（３）の素材を柔軟性を有するものに変更することや、両被覆部の間にさらにスペーサを入れる等により、コンドームのリングを目立たなくすることができ、携帯性を高めることができる。
【符号の説明】
【００３８】
１    個装コンドーム用収納ケース
２    第１被覆部
２ａ  指掛け部
２ａ１  指掛け部
２ａ２  指掛け部
Ｒ２ａ  指掛け部２ａの半径又は切込みの深さ
Ｒ２ａ１  指掛け部２ａ１の半径又は切込みの深さ
Ｒ２ａ２  指掛け部２ａ２の半径又は切込みの深さ
２ｂ  指掛け部
Ｒ２ｂ  指掛け部２ｂの半径又は切込みの深さ
３    第２被覆部
３ａ  指掛け部
Ｒ３ａ  指掛け部３ａの半径又は切込みの深さ
３ｂ  指掛け部
Ｒ３ｂ  指掛け部３ｂの半径又は切込みの深さ
４    個装コンドーム
５    コンドーム
Ｌ１  第１被覆部及び第２被覆部の第１辺（個装コンドーム挿入部）
Ｌ２  第１被覆部及び第２被覆部の第２辺
Ｌ３  第１被覆部及び第２被覆部の第３辺
Ｌ４  第１被覆部及び第２被覆部の第４辺
Ｓ    接着部の縦幅
ｄ    個装コンドームの挿入引出方向
【図１】
0003216479.tif 000003
【図２】
0003216479.tif 000004
【図３】
0003216479.tif 000005
【図４】
0003216479.tif 000006
【図５】
0003216479.tif 000007
【図６】
0003216479.tif 000008
【図７】
0003216479.tif 000009
【図８】
0003216479.tif 000010
【図９】
0003216479.tif 000011
【図１０】
0003216479.tif 000012